(57)【特許請求の範囲】
【請求項１】
室内の窓際に設置して窓で冷却された空気や屋外の冷気が室内中央部に流入するのを軽減させる折畳式ボードであって、
床面に載置される平板状の座部と、床面から直立する平板状の直立部とを第１屈曲部を介して接続すると共に、不使用時に前記折畳式ボードを折り畳めるように前記第１屈曲部を横断する方向で前記座部及び前記直立部に延在する第２屈曲部を設け、使用時に、前記座部を水平状態とすると共に前記第１屈曲部を略直角にして前記直立部の両端縁を室内側の壁面に接触させることにより、前記直立部を直立状態に維持して前記第２屈曲部の折れ曲がりを規制するようにしたことを特徴する折畳式ボード。
【請求項２】
前記直立部の下端部から下方へ前記座部の厚さの分だけ長尺な平板状の幅調整部を、前記直立部の両端に揺動自在に連接したことを特徴とする請求項１に記載の折畳式ボード。
【請求項３】
前記直立部の裏側、前記座部の底面側及び前記幅調整部の裏側又は底部のうち少なくともいずれか一つに滑り止め部を取り付けたことを特徴とする請求項２に記載の折畳式ボード。
【発明の詳細な説明】
【技術分野】
【０００１】
本発明は、床面に直立状に載置可能な折畳式ボードに関するものである。
【背景技術】
【０００２】
住居の窓は、室内外の熱伝達経路の一つであり、例えば、冬季には窓ガラス又はその近傍で冷却された空気や、窓ガラスとサッシとの隙間から侵入してくる屋外の冷気により、暖房効果を低減させてしまうという問題があった。そのため、従来は、カーテンや障子を用いて窓と室内中央部との間に冷気の停滞空間を形成し、暖房効率の向上を図っている。
【０００３】
しかし、洋室の場合、主としてカーテンが採用されているが、カーテンの周縁部と建物の内壁面又は床面との間には隙間が生じやすく、必ずしも効率的に暖房効果の低減を抑制できる訳ではなかった。また、昼間に障子やカーテンを閉めると、和室・洋室の如何を問わず、屋外からの採光量が減少して室内が薄暗くなったり、屋外の景観が遮られたりするという問題もある。
【０００４】
そこで、図１０（Ａ）のように、窓際Ｒの床面４などから窓１の所定位置（例えば高さ５０〜１００ｃｍ程度）まで冷気の遮蔽板２を設置することが考えられる。遮蔽板２としては、例えば矩形平板状のものでよく、その両端縁及び下縁部を窓際Ｒの壁面３及び床面４に接触させると、窓１と室内中央部との間に冷気の停滞空間５を形成することができるから、室内中央部への冷気の侵入を軽減させることができる。また、遮蔽板２の高さを、窓１の所定位置（例えば中央部近傍）までにすれば、屋外の景観・採光量の問題は解消される。
【０００５】
また、遮蔽板２は、温暖季などの不使用時における収納性を考慮すると、図示の如く表裏両面交互に切り込みを入れて折り畳み可能に構成することが望ましい。
【発明の開示】
【発明が解決しようとする課題】
【０００６】
しかしながら、上記のように、上下方向にのみ切り込みを入れて折り畳み可能にした遮蔽板２を窓際Ｒに立て掛けると、図１０（Ｂ）のように、遮蔽板２と床面４との間に隙間６が生じ、隙間６から冷気が室内中央部に漏れるおそれがある。
【０００７】
また、床面４がフローリングである場合には、遮蔽板２の接地部位が滑って倒れるおそれがあり、使用時の安定性を向上させるという課題がある。
【０００８】
また、窓１には、複数種類の規格があるから、異なる幅の窓にも対応できるようにするという課題もある。
【０００９】
本発明はかかる課題に鑑み創案するに至ったものであって、その目的は、不使用時の収納性、使用時の安定性及び複数種類の窓幅への対応性を向上させた折畳式ボードを提供することにある。
【課題を解決するための手段】
【００１０】
本発明の請求項１に記載の折畳式ボードは、室内の窓際に設置して窓で冷却された空気や屋外の冷気が室内中央部に流入するのを軽減させる折畳式ボードであって、床面に載置される平板状の座部と、床面から直立する平板状の直立部とを第１屈曲部を介して接続すると共に、不使用時に前記折畳式ボードを折り畳めるように前記第１屈曲部を横断する方向で前記座部及び前記直立部に延在する第２屈曲部を設け、使用時に、前記座部を水平状態とすると共に前記第１屈曲部を略直角にして前記直立部の両端縁を室内側の壁面に接触させることにより、前記直立部を直立状態に維持して前記第２屈曲部の折れ曲がりを規制するようにしたことを特徴する。                                                                             
【００１１】
すなわち、不使用時に蛇腹状に折り畳めるようにすべく形成された前記第２屈曲部が使用時に折れ曲がるのを防止すると共に、使用時の安定性を向上できるように、前記第１屈曲部を直角に折り曲げるようになっている。また、前記直立部は、窓全体を覆い隠すように形成されていないので、採光量が大幅に減少することもなく、さらに屋外の景観を完全に遮ってしまうこともない。
【００１２】
また、請求項２に記載の折畳式ボードは、前記直立部の下端部から下方へ前記座部の厚さの分だけ長尺な平板状の幅調整部を、前記直立部の両端に揺動自在に連接したことを特徴とし、前記幅調整部と前記直立部との角度を調整することにより、所定の範囲内で幅寸法を変化できるようにしている。
【００１３】
また、請求項３に記載の折畳式ボードは、前記直立部の裏側、前記座部の底面側及び前記幅調整部の裏側又は底部のうち少なくともいずれか一つに滑り止め部を取り付けたことを特徴とし、フローリングなどの滑り易い場所で使用しても滑って転倒するのを防止できる。
【発明の効果】
【００１４】
本発明は前述の如く、室内の窓際に設置して窓際で冷却された空気や、窓ガラス及びサッシの隙間から屋外の冷気が室内中央部に流入するのを軽減させ、暖房効率を向上させることができ、不使用時には第２屈曲部により収納性がよくなっている。
【００１５】
また、第１屈曲部を折り曲げることにより、直立部及び座部が第２屈曲部で折れ曲がるのを防止して直立部の両端縁及び座部の座面全体を室内側の壁面及び床面などに接触させることが可能になり、窓際の冷気を停滞空間に確実に停滞させることができると共に、直立部と座部とを略直角にすることにより安定性を向上させることができる。
【発明を実施するための最良の形態】
【００１６】
以下、図面を参照しつつ本発明に係る折畳式ボード１１の実施形態について説明する。
【００１７】
［第１実施形態］
第１実施形態に係る折畳式ボード１１は、例えば図１（Ａ）（Ｂ）に示す正面図及び背面図のように、矩形平板状の直立部１２と、直立部１２と同厚の矩形平板状の座部１３とを第１屈曲部１４を介して接続すると共に、第１屈曲部１４とは相違する方向（例えば直交方向）で、かつ、直立部１２及び座部１３の表裏両面交互に所定間隔で第２屈曲部１５を設け、直立部１２の裏側及び／又は座部１３の底面側に、滑り止め部１６を取り付けたものである。
【００１８】
また、本発明の折畳式ボード１１は、図２（Ａ）（Ｂ）のように、直立部１２及び座部１３を合成樹脂板１７（例えば発泡ポリエチレンなどの断熱板）や木板１８などで構成するとよく、前者の場合は、例えば同図（Ａ）のように、合成樹脂板１７を合成樹脂製織布又はシート１９で被覆し、第１屈曲部１４及び第２屈曲部１５を切り込みにより構成することが考えられる。一方、両者とも同図（Ｂ）のように、第１屈曲部１４及び／又は第２屈曲部１５をヒンジ２０により構成してもよい。なお、ヒンジ２０は、直立部１２又は座部１３の縁部に形成された切り欠き部２１に嵌め込んでネジ２２で固定すれば、収納時に嵩高くなるのを防止できる。
【００１９】
また、直立部１２又は座部１３の表裏両面は、必ずしも平坦状である必要はなく、例えば、図２（Ｃ）のように、パーティングラインＰから凹状に形成し、所定の装飾（例えば絵、キャラクター、文字など）を施してもよい。これにより、室内のインテリアとしてのデザイン性を向上させることができる。
【００２０】
なお、直立部１２及び座部１３は、矩形状以外の形状でもよく、例えば、直立部１２の上辺及び座部１３の下辺は曲線状であってもよいし、直立部１２及び座部１３を展開した時の形状が円形状、台形状、多角形状であってもよい。
【００２１】
滑り止め部１６としては、例えば両面テープ、ゴムシート（表面を所定形状に加工をしたものを含む。）、面ファスナーなどのシート状のものでよい。すなわち、滑り止め部１６は、直立部１２及び座部１３の接触対象（壁面３や床面４など）の材質に応じて適宜変更すればよく、例えばフローリングの場合には、両面テープやゴムシートなど、絨毯の場合には面ファスナーなどを用いるとよい。なお、両面テープを用いる場合は、少なくとも片面を繰り返し剥離可能なものを用い、不使用時には剥離シート（図示略）にて接着面を保護するとよい。また、滑り止め部１６は、直立部１２と座部１３とで同一の材質のものにする必要はなく、例えば、直立部１２には両面テープ、座部１３にはゴムシートを用いるなど異なる材質のものにしてもよい。また、滑り止め部１６の取り付け位置は、図示したものに限定する必要はなく、適宜変更可能である。
【００２２】
本発明の折畳式ボード１１は前述の如く構成され、例えば図３（Ａ）（Ｂ）のように、室内の窓際Ｒに設置して窓１で冷却された空気や、窓ガラス及びサッシの隙間から屋外の冷気が室内中央部に流入するのを軽減させ、暖房効率を向上させることができる。すなわち、第１屈曲部１４を折り曲げることにより、直立部１２及び座部１３が第２屈曲部１５で折れ曲がるのを防止して直立部１２の両端縁及び座部１３の座面全体を室内側の壁面３及び床面４などに接触させることが可能になり、窓際Ｒの冷気を停滞空間５に確実に停滞させることができ、直立部１２と座部１３とを略直角にすることにより安定性を向上させることができる。
【００２３】
また、折畳式ボード１１は、不使用時には、図４のように第２屈曲部１５にて、折り畳むことができ、収納性がよくなっている。
【００２４】
［第２実施形態］
図５（Ａ）（Ｂ）は、第２実施形態の折畳式ボード１１の正面図及び背面図で、同図（Ａ）（Ｂ）のように、この折畳式ボード１１は、直立部１２の両端に幅調整部２３を設けた点と、直立部１２の滑り止め部として窓１の室内側に吸着可能な吸盤１６’を採用した点とが、第１実施形態と相違しており、他の
部位に関しては同一部位には同一符号を付して説明を省略する。
【００２５】
幅調整部２３は、直立部１２よりも座部１３の厚さの分だけ長尺な矩形平板であって、上部を直立部１２と同レベルにして、直立部１２の両端に第３屈曲部２４を介して揺動自在に連接されている。第３屈曲部２４は、第２屈曲部１５と平行に形成され、幅調整部２３を直立部１２及び座部１３と同様に折り畳めるように構成されている。すなわち、幅調整部２３は、使用時に底部が座部１３の底面と同レベルになるように構成されている。
【００２６】
また、幅調整部２３の底部には、ゴムシートなどの滑り止め部１６を取り付けておくとよい。なお、幅調整部は、直立部１２の下端部から下方へ座部１３の厚さの分だけ長尺な平板であればよく、例えば上部が直立部１２と同レベルでなくてもよい。
【００２７】
図６（Ａ）（Ｂ）は、折畳式ボード１１の使用時における図５（Ｂ）のＡ−Ａ線断面図で、同図（Ａ）（Ｂ）のように、第２実施形態では、幅調整部２３と直立部１２との屈曲角を調整することにより、窓の幅寸法に対応して折畳式ボード１１の幅寸法を変化できるように構成されている。すなわち、図６（Ａ）（Ｂ）のように、窓１が出窓タイプである場合や、図示は省略するが、窓１が室内一壁面の略全幅に渡って設けられている場合には、窓の幅寸法に対応して折畳式ボード１１の設置箇所の幅寸法が異なる。かかる場合には、折畳式ボード１１を幅方向に伸縮自在に構成することが考えられるが、強度面や製造コスト等を考慮すれば、必ずしも得策であるとは言えない。そこで、上記の如く、直立部１２の両端に設けた幅調整部２３の屈曲角を調整することより、折畳式ボード１１を設置箇所の幅寸法に容易に対応できるようにしている。
【００２８】
図７は、図５（Ｂ）のＢ−Ｂ線断面図で、滑り止め部としての吸盤１６’を例示している。吸盤１６’は、吸着部１６ａ’の非吸着面から延設された軸部１６ｂ’の先端に軸部１６ｂ’よりやや大径で、かつ、可撓性のある薄板状の係止部１６ｃ’を設けたものであって、直立部１２に穿設された軸部１６ｂ’と略同径の装着穴２５に係止部１６ｃ’側から捩じ込んで取り付けられる。すなわち、図６(Ａ)(Ｂ)のように、吸着部１６ａ’を窓１に吸着させると、直立部１２を容易に安定させることができる。
【００２９】
また、吸盤１６’は、図８(Ａ)のように、表側に露出しないように構成してもよい。例えば、同図(Ｂ)のように、軸部１６ｂ’の先端に軸部１６ｂ’より大径で、かつ、球状の係止部１６ｃ’を設けたものとし、軸部１６ｂ’及び係止部１６ｃ’に対応して内径が相違するハーフパイプ状の一対の挿入部材２６，２７で軸部１６ｂ’及び係止部１６ｃ’を挟み込み、その状態で直立部１２に形成された装着穴２５に挿し込むようにしてもよい。なお、挿入部材２６，２７は、装着穴２５に螺着又は接着などの適当な手段で固着すればよい。また、吸盤１６’の収納用嵌合部２８を直立部の背面側に形成しておくとよい。
【００３０】
また、吸盤としては、上記の吸盤１６’の係止部１６ｃ’の代わりにクリップ（図示略）を設け、前記クリップにて直立部１２の上縁部等に取り付けたものや、吸着部１６ａ’の非吸着面を両面テープなどで直立部１２の裏側に接着したもの、或いは軸部１６ｂ’の基端部を直立部１２に枢動自在に取り付けたものなどでもよい。なお、軸部１６ｂ’を枢動自在に取り付ける場合には、吸着部１６ａ’及び軸部１６ｂ’の含軸心断面形状の収納用嵌合部（図示略）を直立部１２の裏側に刻設しておくとよい。
【００３１】
以上、本発明の実施形態につき説明したが、本発明は上記の第１実施形態及び第２実施形態に限定されることなく種々の変形が可能であって、例えば図９（Ａ）のように、第１屈曲部１４の屈曲角を９０度から１８０度に制限するスライド部材２９を折畳式ボード１１の少なくとも一側面部３０に取り付けてもよいし、同図（Ｂ）（Ｃ）のように、複数の折畳式ボード１１，１１を横一列状に連結可能な連結構造３１又は連結具３２（例えばクリップなど）を採用してもよい。なお、この連結構造３１又は連結具３２に関しては第１実施形態の折畳式ボード１１に適用した場合について図示するが、第２実施形態の折畳式ボード１１に関しても同様に適用可能である。
【００３２】
連結構造３１としては、図示の如く、先端が拡径した突条３３をガイド溝３４にスライド自在に嵌め込むものや、折畳式ボード１１の一側面部３０にクリップ（図示略）を一体形成したものが考えられる。
【００３３】
連結具３２としては、例えば折畳式ボード１１，１１の連結箇所に隙間が生じないように、直立部１２及び座部１３の連結部位と略同長のＨ状のクリップ３２を用いるとよい。
【図面の簡単な説明】
【００３４】
【図１】（Ａ）は本発明に係る折畳式ボードの展開時の正面図で、（Ｂ）は同じく背面図である。
【図２】（Ａ）〜（Ｃ）は、第１屈曲部又は第２屈曲部を例示する断面図である。
【図３】（Ａ）は折畳式ボードの使用例を示す斜視図で、（Ｂ）は同じく縦断平面図である。
【図４】折畳式ボードを折り畳んだ状態を示す斜視図である。
【図５】（Ａ）は第２実施形態に係る折畳式ボードを示す正面図で、（Ｂ）は同じく背面図である。
【図６】（Ａ）（Ｂ）は図５（Ｂ）のＡ−Ａ線断面図で、第２実施形態に係る折畳式ボードの使用例を示している。
【図７】図５（Ｂ）のＢ−Ｂ線断面図である。
【図８】（Ａ）は第２実施形態の変形例を示す正面図で、（Ｂ）は（Ａ）のＣ−Ｃ線断面図である。
【図９】（Ａ）〜（Ｃ）は本発明に係る折畳式ボードの変形例を示す図で、（Ａ）は折畳式ボードの側面図で、（Ｂ）及び（Ｃ）は直立部又は座部の断面図である。
【図１０】（Ａ）（Ｂ）は従来例を示す図である。
【符号の説明】
【００３５】
１１．折畳式ボード
１２．直立部
１３．座部
１４．第１屈曲部
１５．第２屈曲部
１６．滑り止め部
２３．幅調整部
【図１】
0004757848.tif 000002
【図２】
0004757848.tif 000003
【図３】
0004757848.tif 000004
【図４】
0004757848.tif 000005
【図５】
0004757848.tif 000006
【図６】
0004757848.tif 000007
【図７】
0004757848.tif 000008
【図８】
0004757848.tif 000009
【図９】
0004757848.tif 000010
【図１０】
0004757848.tif 000011